(57)【特許請求の範囲】
【請求項１】
画像を表示する表示部と、
第１の周期で前記表示部にコンテンツ情報に対応する画像を表示させるコンテンツ情報画像表示制御手段と、
前記表示部にコンテンツ情報に対応する画像が表示されていない間に、第２の周期で前記表示部に通信情報に対応する画像を表示させる通信情報画像表示制御手段とを有することを特徴とする通信装置。
【請求項２】
前記第２の周期の長さは、前記第１の周期の長さ以下であることを特徴とする請求項１に記載の通信装置。
【請求項３】
前記第２の周期の長さは、１／３６０秒以下であることを特徴とする請求項２に記載の通信装置。
【請求項４】
前記表示部は、複数色のそれぞれに対応する複数の発光部を有し、
前記通信情報は、前記複数色から順次選択される色の順序と対応し、
前記通信情報画像表示制御手段は、前記通信情報に応じて、前記複数の発光部の発光順を該通信情報と対応する順序となるよう制御することを特徴とする請求項１乃至３のいずれかに記載の通信装置。
【請求項５】
前記通信情報画像表示制御手段は、直前に前記表示部に表示されるコンテンツ情報に対応する画像の輝度で、前記表示部に通信情報に対応する画像を表示させることを特徴とする請求項１乃至４のいずれかに記載の通信装置。
【請求項６】
第１の周期でコンテンツ情報に対応する画像の光を受光し、前記コンテンツ情報に対応する画像の光が受光されていない間に、第２の周期で通信情報に対応する画像の光を受光する受光手段と、
前記受光手段により受光されたコンテンツ情報に対応する画像の光と通信情報に対応する画像の光のうち、前記通信情報に対応する画像の光に基づいて、前記通信情報を復調する復調手段とを有することを特徴とする通信装置。
【請求項７】
前記通信情報に対応する光に基づく通信における信号対雑音比を導出する通信品質導出手段を有し、
前記復調手段は、前記信号対雑音比が所定値以上である場合に、前記通信情報を復調することを特徴とする請求項６に記載の通信装置。
【請求項８】
前記信号対雑音比を通知する通知手段を有することを特徴とする請求項７に記載の通信装置。
【請求項９】
請求項１乃至５のいずれかに記載の通信装置と、請求項６乃至８のいずれかに記載の通信装置とにより構成される通信システム。
【請求項１０】
画像を表示する表示部を有する通信装置における通信方法であって、
第１の周期で前記表示部にコンテンツ情報に対応する画像を表示させるコンテンツ情報画像表示制御ステップと、
前記表示部にコンテンツ情報に対応する画像が表示されていない間に、第２の周期で前記表示部に通信情報に対応する画像を表示させる通信情報画像表示制御ステップとを有することを特徴とする通信方法。
【発明の詳細な説明】
【技術分野】
【０００１】
本発明は、通信装置、通信システム及び通信方法に関し、特に、可視光を用いた通信を行う技術に関する。
【背景技術】
【０００２】
昨今、光や電波を用いた無線（ワイヤレス）通信が様々な分野で利用されている。このようなワイヤレス通信は、データ伝送路としてのケーブルが不要であることから、例えば、携帯機器、パーソナルコンピュータ（ＰＣ）、ＰＤＡ（Personal Digital Assistant）等の機器間の相互通信や、ＰＣとプリンタやディスプレイ等との周辺機器との通信等、様々な通信において利用されている（例えば、特許文献１及び２参照）。特に、光通信は、電波を用いた通信方式に比較して低コストであり、電磁放射ノイズによる影響も受けないため、今後利用範囲が広がるものと予測される。
【０００３】
従来の光通信方式としては、例えば、送信器が赤外線等の光強度を変化させたパルス信号列等を生成し、受信機がパルス信号を解析する構成等がある。光通信においては、このような光強度変調処理による変調信号が使用される場合が多い。
【０００４】
また、可視光領域の光を通信に使用する場合には、その光を同時に照明光としても使用する場合が多く、光源として、ＲＧＢの３色のＬＥＤで白色を実現するものや、白色ＬＥＤを使用するものが提案されている。
【０００５】
また、可視光通信の機能と照明の機能とを兼ね揃えた装置において、多重色通信を実現する方法として、照明として使用する白色光を、補色関係にある２色又は３色以上の光を合成することによって実現するものがある。
【０００６】
更には、光源に単色の画面の色を時間的に変化させ、単色光の時間的変化の順序により可視光通信を実現する方法がある。
【特許文献１】特開平１０−１９０５８４号公報
【特許文献２】特開２００４−７２３６５号公報
【発明の開示】
【発明が解決しようとする課題】
【０００７】
現在、可視光通信において多重色通信を実現する方法を、ディスプレイ装置等に適用する際には、ディスプレイ装置等に表示させるコンテンツに含まれる色の時間的変化によって生成される情報によって、赤（Ｒ）、緑（Ｇ）、青（Ｂ）の重み付けが決定され、情報送信の自由度が制限されるという問題点がある。
【０００８】
本発明は、上述したような問題点を解決するためになされたものであり、本発明の目的は、自由度の高い光通信が可能な通信装置、通信システム及び通信方法を提供することにある。
【課題を解決するための手段】
【０００９】
本発明は、画像を表示する表示部と、第１の周期で前記表示部にコンテンツ情報に対応する画像を表示させるコンテンツ情報画像表示制御手段と、前記表示部にコンテンツ情報に対応する画像が表示されていない間に、第２の周期で前記表示部に通信情報に対応する画像を表示させる通信情報画像表示制御手段とを有する。
【００１０】
この構成により、表示部にコンテンツ情報に対応する画像が表示されていない間に、通信情報に対応する画像を表示させ、その画像光により通信が可能となる。このため、コンテンツ情報に対応する画像に影響されることのない自由度の高い光通信が可能となる。
【００１１】
また、本発明の通信装置は、前記第２の周期の長さが、前記第１の周期の長さ以下であってもよい。
【００１２】
この構成により、コンテンツ情報に対応する画像を見る者が通信情報に対応する画像が含まれていることを認識しづらくすることができる。
【００１３】
同様の観点から、本発明の通信装置は、前記第２の周期の長さが、１／３６０秒以下であってもよい。
【００１４】
また、本発明の通信装置は、前記表示部が、複数色のそれぞれに対応する複数の発光部を有し、前記通信情報は、前記複数色から順次選択される色の順序と対応し、前記通信情報画像表示制御手段が、前記通信情報に応じて、前記複数の発光部の発光順を該通信情報と対応する順序となるよう制御してもよい。
【００１５】
この構成により、複数の発光部の発光順によって通信情報をあらわすことが可能となる。
【００１６】
また、本発明の通信装置は、前記通信情報画像表示制御手段が、直前に前記表示部に表示されるコンテンツ情報に対応する画像の輝度で、前記表示部に通信情報に対応する画像を表示させてもよい。
【００１７】
この構成により、コンテンツ情報に対応する画像を見る者が通信情報に対応する画像が含まれていることを、より認識しづらくすることができる。
【００１８】
また、本発明の通信装置は、第１の周期でコンテンツ情報に対応する画像の光を受光し、前記コンテンツ情報に対応する画像の光が受光されていない間に、第２の周期で通信情報に対応する画像の光を受光する受光手段と、前記受光手段により受光されたコンテンツ情報に対応する画像の光と通信情報に対応する画像の光のうち、前記通信情報に対応する画像の光に基づいて、前記通信情報を復調する復調手段とを有してもよい。
【００１９】
この構成により、上述した通信装置からの通信情報に対応する画像の光から通信情報を得ることができる。
【００２０】
また、本発明の通信装置は、前記通信情報に対応する光に基づく通信における信号対雑音比を導出する通信品質導出手段を有し、前記復調手段が、前記信号対雑音比が所定値以上である場合に、前記通信情報を復調してもよい。
【００２１】
この構成により、不必要な復調がなされることが防止される。
【００２２】
また、本発明の通信装置は、前記信号対雑音比を通知する通知手段を有してもよい。
【００２３】
この構成により、通信装置のユーザが通信品質を認識することができる。
【００２４】
また、本発明は、上述した通信情報に対応する画像を表示する通信装置と、当該通信情報に対応する画像の光を受光する通信装置とにより構成される通信システムである。
【００２５】
また、本発明は、画像を表示する表示部を有する通信装置における通信方法であって、第１の周期で前記表示部にコンテンツ情報に対応する画像を表示させるコンテンツ情報画像表示制御ステップと、前記表示部にコンテンツ情報に対応する画像が表示されていない間に、第２の周期で前記表示部に通信情報に対応する画像を表示させる通信情報画像表示制御ステップとを有する。
【発明の効果】
【００２６】
本発明によれば、表示部にコンテンツ情報に対応する画像が表示されていない間に、通信情報に対応する画像を表示させ、その画像光により通信が可能となり、コンテンツ情報に対応する画像に影響されることのない自由度の高い光通信が可能となる。
【発明を実施するための最良の形態】
【００２７】
以下、本発明の実施例を、図面を用いて説明する。
【００２８】
図１は、本実施の形態に係る可視光通信の送信機である液晶ディスプレイの構成を示す図である。この液晶ディスプレイは、バックライトユニット１、偏光フィルム２、ＴＦＴ基板３、ＲＧＢフィルタ４、コンテンツ用発光制御部５、通信用発光制御部６、表示用通信制御部７、通信情報記憶部８、及び、コンテンツ情報記憶部９より構成される。これらのユニットのうち、バックライトユニット１、偏光フィルム２、ＴＦＴ基板３、ＲＧＢフィルタ４からなる表示部と、コンテンツ用発光制御部５と、コンテンツ情報記憶部９は、通常の液晶ディスプレイを構成するユニットであり、通信用発光制御部６と通信情報記憶部８を加えることによって、可視光通信を実現することができる。
【００２９】
通信用発光制御部６と通信情報記憶部８とを加えることによって、液晶ディスプレイにおいて、動画、静止画等のコンテンツ情報に対応する画像が表示された状態で、当該画像が表示されているスキャンの間に通信情報に対応する画像を入れ込むことにより、可視光による通信を可能とする。
【００３０】
表示部以外の部分は、画像に関わる部分と通信に関わる部分の２つに系統分けされる。画像に関わる部分である、コンテンツ情報記憶部９は、コンテンツ情報を保存する。コンテンツ用発光制御部５は、このコンテンツ情報を入力し、表示部にコンテンツ情報に対応する画像を表示させる。一方、通信に関わる部分である、通信情報記憶部８は、通信情報を保存する。通信用発光制御部６は、この通信情報を入力し、バックライトユニット１を制御して、表示部に通信情報に対応する画像を表示させる。通信情報に対応する画像と、コンテンツ情報に対応する画像とは、表示部において時間的に交互に表示される。
【００３１】
通信の際は、表示部に表示されるコンテンツ情報に対応する画像の輝度が通信情報に対応する画像に反映される場合と、反映されない場合とがある。表示部に表示されるコンテンツ情報に対応する画像の輝度が通信情報に対応する画像に反映される場合、通信情報記憶部８に記憶された通信情報が通信用発光制御部６に入力されるとともに、コンテンツ情報記憶部９に記憶されたコンテンツ情報が、表示用通信制御部７を介して通信用発光制御部６に入力される。通信用発光制御部６は、これら通信情報とコンテンツ情報とに基づいてバックライトユニット１を制御して、表示部に通信情報とコンテンツとに対応する画像を表示させる。
【００３２】
一方、表示部に表示されるコンテンツ情報に対応する画像の輝度が通信用の画像に反映されない場合、通信情報記憶部８に記憶された通信情報のみが通信用発光制御部６に入力され、当該通信用発光制御部６は、この通信情報によりバックライトユニット１を制御して、表示部に通信情報に対応する画像を表示させる。
【００３３】
図２は、液晶ディスプレイにおけるＲＧＢフィルタ４の制御を行う部分の構成を示す図である。当該制御部分の構成は、ＲＧＢフィルタ４内の赤色ＬＥＤ１０、緑色ＬＥＤ１１、青色ＬＥＤ１２と、通信用発光制御部６内の演算部１３、制御部１４、タイミングジェネレータ１５と、通信情報記憶部８とより構成される。通信情報記憶部８に記憶されている通信情報が通信用発光制御部６によって処理されて赤色ＬＥＤ１０、緑色ＬＥＤ１１、青色ＬＥＤ１２に入力されることにより、これら赤色ＬＥＤ１０、緑色ＬＥＤ１１、青色ＬＥＤ１２は、通信情報のシーケンスに従って点灯、点滅する。
【００３４】
表示部に表示されるコンテンツ情報に対応する画像の輝度が通信情報に対応する画像に反映される場合、通信情報に対応する画像において、画素に対応するＲＧＢフィルタ４は、通信情報に対応する画像の色のＬＥＤのみが１つ前の時間に表示されたコンテンツ情報に対応する画像の輝度を維持した状態で発光する。
【００３５】
図３は、ＲＧＢフィルタ４に対応する２つの画素を示す図である。図３において、赤（Ｒ）、緑（Ｇ）、青（Ｂ）のそれぞれの色が等しい輝度で発光することにより、人間の目には白色に映る。２つの画素のうち、左側の画素１は高い輝度の画素であり、右側の画素２は低い輝度の画素である。
【００３６】
図４は、通信情報「０」に対応する画素の発光状態の遷移の一例を示す図である。通信用発光制御部６は、通信情報「０」を送信する場合、画素を赤（Ｒ）、緑（Ｇ）の順で発光させ、「０」を表現し、最後に青（Ｂ）を発光させることで、色の補正を実現する。一方、図５は、通信情報「１」に対応する画素の発光状態の遷移の一例を示す図である。通信用発光制御部６は、通信情報「１」を送信する場合、画素を赤（Ｒ）、青（Ｂ）の順で発光させ、「１」を表現し、最後に緑（Ｇ）を発光させることで、色の補正を実現する。
【００３７】
図６は、通信情報「００」に対応する画素の発光状態の遷移の一例を示す図である。通信用発光制御部６は、奇数番目のタイミングでは、画素に対して通信情報に対応する発光をさせない。このため、画素は、コンテンツ情報に対応する発光を行う。一方、通信用発光制御部６は、２番目のタイミングでは、画素をコンテンツ情報に対応する画像の輝度４で赤（Ｒ）に発光させる。次に、通信用発光制御部６は、４番目のタイミングでは、画素をコンテンツ情報に対応する画像の輝度３で緑（Ｇ）に発光させる。更に、通信用発光制御部６は、６番目のタイミングでは、画素をコンテンツ情報に対応する画像の輝度３で青（Ｂ）に発光させる。このように、２番目のタイミングにおいて赤（Ｒ）が発光し、４番目のタイミングにおいて緑（Ｇ）が発光することにより、「０」が表現され、６番目のタイミングにおいて青（Ｂ）が発光することにより、色の補正が実現される。
【００３８】
図７は、図６におけるタイミング１乃至６において表示部に表示される画像の一例である。図７に示すように、奇数番目のタイミングでは、コンテンツ情報に対応する画像が表示される。一方、２番目のタイミングではコンテンツ情報に対応する画像のうち赤（Ｒ）の部分、４番目のタイミングでは緑（Ｇ）の部分、６番目のタイミングでは青（Ｂ）の部分のみがそれぞれ表示される。
【００３９】
再び、図６に戻って説明する。同様に、通信用発光制御部６は、８番目のタイミングでは、画素をコンテンツ情報に対応する画像の輝度２で赤（Ｒ）に発光させる。次に、通信用発光制御部６は、１０番目のタイミングでは、画素をコンテンツ情報に対応する画像の輝度１で緑（Ｇ）に発光させる。更に、通信用発光制御部６は、１２番目のタイミングでは、画素をコンテンツ情報に対応する画像の輝度１で青（Ｂ）に発光させる。このように、８番目のタイミングにおいて赤（Ｒ）が発光し、１０番目のタイミングにおいて緑（Ｇ）が発光することにより、「０」が表現され、１２番目のタイミングにおいて青（Ｂ）が発光することにより、色の補正が実現される。
【００４０】
図８は、通信情報「１１」に対応する画素の発光状態の遷移の一例を示す図である。通信用発光制御部６は、奇数番目のタイミングでは、画素に対して通信情報に対応する発光をさせない。このため、画素は、コンテンツ情報に対応する発光を行う。一方、通信用発光制御部６は、２番目のタイミングでは、画素をコンテンツ情報に対応する画像の輝度４で赤（Ｒ）に発光させる。次に、通信用発光制御部６は、４番目のタイミングでは、画素をコンテンツ情報に対応する画像の輝度３で青（Ｂ）に発光させる。更に、通信用発光制御部６は、６番目のタイミングでは、画素をコンテンツ情報に対応する画像の輝度３で緑（Ｇ）に発光させる。このように、２番目のタイミングにおいて赤（Ｒ）が発光し、４番目のタイミングにおいて青（Ｂ）が発光することにより、「１」が表現され、６番目のタイミングにおいて緑（Ｇ）が発光することにより、色の補正が実現される。
【００４１】
同様に、通信用発光制御部６は、８番目のタイミングでは、画素をコンテンツ情報に対応する画像の輝度２で赤（Ｒ）に発光させる。次に、通信用発光制御部６は、１０番目のタイミングでは、画素をコンテンツ情報に対応する画像の輝度１で青（Ｂ）に発光させる。更に、通信用発光制御部６は、１２番目のタイミングでは、画素をコンテンツ情報に対応する画像の輝度１で緑（Ｇ）に発光させる。このように、８番目のタイミングにおいて赤（Ｒ）が発光し、１０番目のタイミングにおいて青（Ｂ）が発光することにより、「１」が表現され、１２番目のタイミングにおいて緑（Ｇ）が発光することにより、色の補正が実現される。
【００４２】
図９は、送信機である液晶ディスプレイの通信時における動作を示す図である。コンテンツ用発光制御部５は、コンテンツ情報記憶部９からコンテンツ情報を読み出し（Ｓ１）、コンテンツ情報に対応する画像表示のための信号処理を行う（Ｓ２）。更に、コンテンツ用発光制御部５は、処理後の信号により、表示部にコンテンツ情報に対応する画像を表示させる（Ｓ３）。次に、通信用発光制御部６は、通信情報記憶部８から通信情報を読み出すとともに、コンテンツ情報記憶部９からコンテンツ情報を読み出し（Ｓ４）、通信情報に対応する画像表示のための信号処理を行う（Ｓ５）。ここでは、上述したように、通信情報に対応する画像の輝度がコンテンツ情報に対応する画像の輝度となるように調整される。更に、通信用発光制御部６は、処理後の信号により、表示部に通信情報に対応する画像を表示させる（Ｓ６）。
【００４３】
図９の動作において、ＶＳＹＮＣの走査周波数は、通常の６倍である３６０［Ｈｚ］とすることが好ましい。従って、上述したＳ１乃至Ｓ６の動作に要する時間は、０.００２７［Ｓｅｃ］となる。この時間であれば、フリッカー効果により、人間の目が輝度、色度のちらつきを感じることはない。
【００４４】
一方、図１０は、送信機である液晶ディスプレイの非通信時における動作を示す図である。非通信時には、図９におけるＳ１乃至Ｓ３に対応するＳ１０１乃至Ｓ１０３の動作のみが行われる。Ｓ１０１乃至Ｓ１０３の動作に要する時間は、ＶＳＹＮＣの走査周波数が６０［Ｈｚ］であることに対応して、０.１６６［Ｓｅｃ］とすることが好ましい。この時間であれば、フリッカー効果により、人間の目が輝度、色度のちらつきを感じることはない。
【００４５】
図１１は、本実施の形態に係る可視光通信の受信機の構成を示す図である。この受信器は、上述した送信機としての液晶ディスプレイからの光のうち、赤色の光を通過させる光学フィルタ１７、緑色の光を通過させる光学フィルタ１８、青色の光を通過させる光学フィルタ１９と、これら光学フィルタ１７等に対応するＣＭＯＳセンサ等の光学センサ２０と、同期検出回路２１と、判定器２２と、Ｓ／Ｎ測定器２４と、演算部２５と、通信情報記憶部２６と、表示部２７とにより構成される。
【００４６】
図１２は、受信機の受信動作を示すフローチャートである。各光学センサ２０は、対応する光学フィルタ１７等を通過した光を受光し、当該光の輝度を検出し、その輝度に対応する信号（輝度信号）を判定器２２へ出力する（Ｓ２１）。
【００４７】
同期検出回路２１は、液晶ディスプレイにおいて、通信情報に対応する画像と、コンテンツ情報に対応する画像とが交互に表示される際に、通信情報に対応する画像の光に対応する輝度信号が判定器２２に到達するタイミングを検出する（Ｓ２２）。判定器２２は、同期検出回路２１により検出されたタイミングで各光学センサ２０から入力した輝度信号について時間的な差異を検出し、この時間的な差異を解消するタイミングで、各光学センサ２０からの輝度信号をＳ／Ｎ測定器２４へ出力する（Ｓ２３）。
【００４８】
Ｓ／Ｎ測定器２４は、入力した輝度信号に基づいて、可視光通信の通信品質（Ｓ／Ｎ値）を測定し、これら輝度信号とＳ／Ｎ値とを演算部２５へ出力する（Ｓ２４）。演算部２５は、入力したＳ／Ｎ値が所定値以上であるか否かを判定する（Ｓ２５）。Ｓ／Ｎ値が所定値以上である場合、演算部２５は、入力した輝度信号から通信情報を復調する（Ｓ２６）。復調された通信情報は、通信情報記憶部２６に記憶される。一方、Ｓ／Ｎ値が所定値未満である場合、演算部２５は、入力した輝度信号から通信情報を復調しない（Ｓ２７）。
【００４９】
図１３は、受信機の表示部２７における画面遷移の動作を示すフローチャートである。表示部２７は、光学センサ２０が光を受光すると、「光無線通信信号を認知しました。情報を取り込みますか？」との表示を行う（図１４（ａ）参照）（Ｓ３１）。次に、演算部２５は、ユーザによって情報取り込みの操作がなされたか否かを判定する（Ｓ３２）。
【００５０】
情報取り込みの操作がなされた場合、演算部２５による受信処理が開始される（Ｓ３３）。更に、演算部２５は、受信感度が悪いか否か、換言すれば、入力したＳ／Ｎ値が所定値未満であるか否かを判定する（Ｓ３４）。受信感度が良好である場合、演算部２５による受信処理が継続される（Ｓ３５）、そして、当該受信処理が終了すると、表示部２５は、「情報の取り込みが終わりました。」との表示を行う（図１４（ｂ）参照）（Ｓ３６）。
【００５１】
一方、受信感度が悪い場合、演算部２５による受信処理が中断され、表示部２５は、「受信感度がよくありません。もう一度取り込みますか？」との表示を行う（図１４（ｃ）参照）（Ｓ３７）。次に、表示部２７は、ユーザによって情報取り込みの操作がなされたか否かを判定し（Ｓ３８）、情報取り込みの操作がなされた場合には、Ｓ３１以降の動作が繰り返される。
【００５２】
図１５は、可視光通信の通信品質と表示部２７の状態及び表示部２７に表示される画像との対応関係を示す図である。また、図１６は、可視光通信の通信品質の一例を示す図である。
【００５３】
表示部２７は、Ｓ／Ｎ値に基づく可視光通信の通信品質が良好である場合、常に明るくなり、良好であることを示すサインを表示する。可視光通信の通信品質が良好である場合とは、図１６（ａ）に示すように、赤（Ｒ）、緑（Ｇ）、青（Ｂ）の輝度が所定値以上で安定している場合を示す。この場合、受信機は、安定して通信情報を受信することができる。また、表示部２７は、Ｓ／Ｎ値に基づく可視光通信の通信品質が不安定である場合、明暗の遷移が激しくなり、不安定であることを示すサインを表示する。可視光通信の通信品質が不安定である場合とは、図１６（ｂ）に示すように、赤（Ｒ）、緑（Ｇ）、青（Ｂ）の輝度の比が時間的に変化する場合を示す。この場合、受信機は、途中で通信情報の受信を停止する場合がある。また、表示部２７は、Ｓ／Ｎ値に基づく可視光通信の通信品質が不良である場合、常に暗くなり、不良であることを示すサインを表示する。可視光通信の通信品質が不良である場合とは、図１６（ｃ）に示すように、赤（Ｒ）、緑（Ｇ）、青（Ｂ）の輝度が安定しているものの、可視光通信には十分でない場合を示す。この場合、受信機は、途中で通信情報の受信を停止する場合がある。
【００５４】
図１７は、受信機が携帯端末である場合における表示部２７の画像表示の一例を示す図であり、図１７（ａ）は可視光通信の通信品質が良好である場合、図１７（ｂ）は可視光通信の通信品質が不安定な場合、図１７（ｃ）は可視光通信の通信品質が不良である場合を示す。図１７に示すように、表示部２７は、携帯電話通信の通信品質とともに、Ｓ／Ｎ値に基づく可視光通信の通信品質についても表示することができる。これにより、ユーザは、可視光通信の通信品質を把握することができる。
【００５５】
このように、本実施形態では、送信機である液晶ディスプレイの表示部にコンテンツに対応する画像と、通信情報に対応する画像とが交互に表示されることによって、コンテンツ情報に対応する画像に影響されることのない自由度の高い光通信が可能となる。また、コンテンツに対応する画像の輝度と、通信情報に対応する画像の輝度とを変化させないようにすることで、コンテンツ情報に対応する画像を見る者が通信情報に対応する画像が含まれていることを認識しづらくすることができる。
【産業上の利用可能性】
【００５６】
以上、説明したように、本発明に係る通信装置、通信システム及び通信方法は、自由度の高い通信が可能であり、通信装置等として有用である。
【図面の簡単な説明】
【００５７】
【図１】送信機である液晶ディスプレイの構成を示す図である。
【図２】液晶ディスプレイにおけるＲＧＢフィルタの制御を行う部分の構成を示す図である。
【図３】送信機である液晶ディスプレイにおける表示部のＲＧＢフィルタに対応する２つの画素を示す図である。
【図４】通信情報「０」に対応する画素の発光状態の遷移の一例を示す図である。
【図５】通信情報「１」に対応する画素の発光状態の遷移の一例を示す図である。
【図６】通信情報「００」に対応する画素の発光状態の遷移の一例を示す図である。
【図７】液晶ディスプレイ内の表示部に表示される画像の一例である。
【図８】通信情報「１１」に対応する画素の発光状態の遷移の一例を示す図である。
【図９】液晶ディスプレイの通信時における動作を示す図である。
【図１０】液晶ディスプレイの非通信時における動作を示す図である。
【図１１】受信機の構成を示す図である。
【図１２】受信機の受信時の動作を示すフローチャートである。
【図１３】受信機内の表示部の画面遷移の動作を示すフローチャートである。
【図１４】受信機内の表示部の画面遷移を示す図である。
【図１５】可視光通信の通信品質と受信機内の表示部の状態及び表示部に表示される画像との対応関係を示す図である。
【図１６】可視光通信の通信品質の一例を示す図である。
【図１７】受信機が携帯端末である場合における表示部の画像表示の一例を示す図である。
【符号の説明】
【００５８】
１  バックライトユニット、２  偏光フィルム、３  ＴＦＴ基板、４  ＲＧＢフィルタ、５  コンテンツ用発光制御部、６  通信用発光制御部、７  表示用通信制御部、８，２６  通信情報記憶部、９  コンテンツ情報記憶部、１０  赤色ＬＥＤ、１１  緑色ＬＥＤ、１２  青色ＬＥＤ、１３，２５  演算部、１４  制御部、１５  タイミングジェネレータ、１７，１８，１９  光学フィルタ、２０  光学センサ、２１  同期検出回路、２２  判定器、２４  Ｓ／Ｎ測定器、２７  表示部。
【図１】
0004739914.tif 000002
【図２】
0004739914.tif 000003
【図３】
0004739914.tif 000004
【図４】
0004739914.tif 000005
【図５】
0004739914.tif 000006
【図６】
0004739914.tif 000007
【図７】
0004739914.tif 000008
【図８】
0004739914.tif 000009
【図９】
0004739914.tif 000010
【図１０】
0004739914.tif 000011
【図１１】
0004739914.tif 000012
【図１２】
0004739914.tif 000013
【図１３】
0004739914.tif 000014
【図１４】
0004739914.tif 000015
【図１５】
0004739914.tif 000016
【図１６】
0004739914.tif 000017
【図１７】
0004739914.tif 000018